(57)【要約】ポリマー製コアから径方向に延出する複数のポリマー製ブリスルを備え、コアの少なくとも一部はねじられており、ねじり部のブリスルは、１つ又は複数の渦巻状経路に配置される１つ又は複数の列になって構成され、渦巻状経路はコアの長手方向軸の少なくとも一部に沿って延在する、化粧用ブラシが提案される。【選択図】図１
2016521193.tif 000002
【特許請求の範囲】
【請求項１】
化粧用ブラシであって、
長手方向軸に沿って延在するポリマー製コアと、
前記ポリマー製コアから径方向に延出する複数のポリマー製ブリスルと、
を備え、前記コアの少なくとも一部は前記長手方向軸の回りにねじられて、ねじり部を画定し、該ねじり部のブリスルは、前記コアの前記長手方向軸の少なくとも一部の回りの、１つ又は複数の渦巻状すなわち螺旋状経路に配置された、１つ又は複数の列になって配列される、化粧用ブラシ。
【請求項２】
前記コアの前記ねじれは永久的に固定される、請求項１に記載の化粧用ブラシ。
【請求項３】
各渦巻状すなわち螺旋状経路の構成は永久的に固定される、請求項２に記載の化粧用ブラシ。
【請求項４】
前記ポリマー製ブリスルは前記ポリマー製コアと一体的に成形される、請求項１に記載の化粧用ブラシ。
【請求項５】
前記コアの前記ねじり部のブリスルの各列は、前記コアの前記長手方向軸の少なくとも一部の回りに延在する別個の渦巻状すなわち螺旋状経路に配置される、請求項１に記載の化粧用ブラシ。
【請求項６】
前記渦巻状すなわち螺旋状経路はいずれも互いに交差しない、請求項５に記載の化粧用ブラシ。
【請求項７】
前記コアは、１度〜３６０度のねじり角度でねじられており、それにより、各渦巻状すなわち螺旋状経路に沿った最も下のブリスルが、前記それぞれの渦巻状すなわち螺旋状経路の最も上のブリスルから前記ねじり角度だけずれている、請求項１に記載の化粧用ブラシ。
【請求項８】
前記ねじり角度は９０度である、請求項７に記載の化粧用ブラシ。
【請求項９】
前記ねじり角度は１８０度である、請求項７に記載の化粧用ブラシ。
【請求項１０】
前記ねじり角度は２７０度である、請求項７に記載の化粧用ブラシ。
【請求項１１】
前記コアの前記長手方向軸に対して実質的に平行に延在する１つ又は複数の直線経路に配置される、１つ又は複数の列のブリスルを更に備える、請求項１に記載の化粧用ブラシ。
【請求項１２】
前記直線経路はいずれも交差しない、請求項１１に記載の化粧用ブラシ。
【請求項１３】
前記コアの一端部は軸部を画定する、請求項１に記載の化粧用ブラシ。
【請求項１４】
前記軸部は柄部に接続するように構成される、請求項１３に記載の化粧用ブラシ。
【請求項１５】
前記ブリスルは熱可塑性材料から製造される、請求項１に記載の化粧用ブラシ。
【請求項１６】
前記ブリスル及び前記コアは同じ材料から製造される、請求項１に記載の化粧用ブラシ。
【請求項１７】
前記ブラシはマスカラブラシとして使用するように構成される、請求項１に記載の化粧用ブラシ。
【請求項１８】
前記ブラシはヘアカラー用ブラシとして使用するように構成される、請求項１に記載の化粧用ブラシ。
【請求項１９】
化粧用ブラシを製造する方法であって、
長手方向軸に沿って延在するポリマー製コアを画定するステップと、
前記ポリマー製コアから径方向に延出するとともに、前記長手方向軸に対して実質的に平行に延在する複数の列になって配列される複数のポリマー製ブリスルを画定するステップと、
前記コアの少なくとも一部を前記長手方向軸の回りにねじることにより、前記コアの該ねじり部に沿った各列のブリスルが、渦巻状すなわち螺旋状経路に沿って前記長手方向軸の回りに延在するようにするステップと、
を含む、方法。
【請求項２０】
前記ねじるステップは、前記コアを永久的に変形させ、それにより前記渦巻状すなわち螺旋状経路が固定される、請求項１９に記載の方法。
【発明の詳細な説明】
【技術分野】
【０００１】
本発明は化粧用ブラシに関する。より詳細には、本発明は、少なくとも部分的に渦巻状すなわち螺旋状に配置されたブリスル（毛材）を有する化粧用ブラシに関する。
【０００２】
本願は、２０１４年５月９日に出願された米国仮特許出願第６１／９９０７６７号の利益を主張する。この米国仮特許出願の内容は参照により本明細書に援用される。
【背景技術】
【０００３】
化粧品組成物を毛髪に塗布する化粧用ブラシには、例として、マスカラブラシ及びヘアカラー用ブラシが挙げられる。一般に、ボリュームタイプ（volumizing）、カールタイプ（curling）、ロングタイプ（lengthening）という３つのタイプのマスカラブラシがある。中でも、ボリュームタイプのマスカラブラシは最も需要がある。ブラシ全体に大きな径を有する長いブリスル及びランダムな方向に配向されたブリスルはまつ毛を濃くボリュームがあるように見せるのに必要な最大のバルク（bulk：かさ）を保持する。従来のナイロン製ねじりマスカラブラシは、以前は、そのランダム性、及びブラシ径を制限しないことから、ボリュームタイプのマスカラにとって最良の選択であった。しかし、このブラシの欠点は、ブラシのランダム性があまりにランダムであり、これにより大量のバルクのダマ（clumping）をもたらし、バルクのダマがまつ毛に塗布されることである。ダマになる問題を解決するために、この業界は、ダマを低減するために、一貫した様式で整列したブリスルを有する成形マスカラブラシを開発した。しかし、技術的な限界により、ブリスルは整然とした様式で配置しなくてはならず、より少ないボリューム効果につながった。したがって、マスカラのダマの低減ももたらすボリュームタイプのマスカラブラシが必要とされている。
【発明の概要】
【０００４】
種々の実施形態に従って、ポリマー製コアから径方向に延出する複数のポリマー製ブリスルを備える化粧用ブラシが提供される。この化粧用ブラシでは、前記コアの少なくとも一部はねじられており、該ねじり部のブリスルは、１つ又は複数の渦巻状すなわち螺旋状経路に配置された１つ又は複数の列になって配列される。前記渦巻状すなわち螺旋状経路は、前記コアの前記長手方向軸の少なくとも一部の回りに延在する。一実施形態において、渦巻状すなわち螺旋状経路の構成は、外的な手段を伴わずに維持される。
【０００５】
少なくとも１つの実施形態において、前記ポリマー製ブリスルは前記ポリマー製コアと一体的に成形される。
【０００６】
少なくとも１つの実施形態において、前記コア上の各列は、前記コアの前記長手方向軸の少なくとも一部の回りに延在する別個の渦巻状すなわち螺旋状経路に配置される。少なくとも１つの実施形態において、前記列の経路はいずれも交差しない。
【０００７】
少なくとも１つの実施形態において、前記化粧用ブラシは、前記コアの前記長手方向軸の少なくとも一部に対して平行に延在する１つ又は複数の直線経路に配置される、１つ又は複数の列のブリスルを更に備える。少なくとも１つの実施形態において、前記直線経路はいずれも交差しない。
【図面の簡単な説明】
【０００８】
【図１】少なくとも一部のブリスルが９０度のねじり角度を有する、本発明の例示的な一実施形態に係る化粧用ブラシの側面図である。
【図２】図１の化粧用ブラシの斜視図である。
【図３】少なくとも一部のブリスルが１８０度のねじり角度を有する、本発明の例示的な別の実施形態に係る化粧用ブラシの側面図である。
【図４】図３の化粧用ブラシの斜視図である。
【図５】少なくとも一部のブリスルが２７０度のねじり角度を有する、本発明の例示的な別の実施形態に係る化粧用ブラシの側面図である。
【図６】図５の化粧用ブラシの斜視図である。
【図７】少なくとも一部のブリスルが３６０度のねじり角度を有する、本発明の例示的な別の実施形態に係る化粧用ブラシの斜視図である。
【発明を実施するための形態】
【０００９】
本開示は、ランダムなブリスルを有するポリマー製化粧用ブラシを提供する。本開示に係る化粧用ブラシは、標準的な熱可塑性ブラシを上回る向上したボリュームアップ度合を提供し、また、従来のナイロンブラシ及びワイヤブラシに伴うダマを低減する。
【００１０】
本明細書において用いられる場合、数量を特定していない単数形は、文脈により別途明確に指示されない限り、複数の対象を含む。本明細書において用いられる全ての技術用語及び科学用語は、別様に定義されない限り、当業者が通例理解しているものと同じ意味を有する。本明細書において用いられる場合、「〜を含む、備える」という用語は「〜に限定はしないが、〜を含む、備える」を意味する。
【００１１】
本明細書において用いられる場合、「化粧用ブラシ」という用語は、これらに限定はしないが、マスカラブラシ及びヘアカラー用ブラシを含む。本明細書において開示されている化粧用ブラシは、ゼロ度よりも大きい少なくとも１つのねじり角度を有するコア部材を備える。通常、ねじり角度は、異なる行の２つのブリスル、すなわち、ねじり部内の最上行及び最下行のブリスル間で測定される。非ねじり構成では、２つのブリスル間のねじり角度はゼロである、すなわち、ブリスルの列はコアの長手方向軸に対して実質的に平行である。ねじり構成では、同じく２つのブリスル間のねじり角度はゼロよりも大きい。１つの実施形態において、ねじり角度は約１度〜約３６０度である。この範囲内の任意の特定の角度が適している（例えば、２度、３度、４度、５度、１０度、２０度、３０度、４０度等）。ねじり角度は３６０度よりも大きくてもよいことが更に予期される。コア全体が少なくとも１つのねじり角度を有することが予期されるが、コアの一部がねじられており、別の部分がねじられていないことも可能である。ブリスルの一部が第１のねじり角度で延在し、ブリスルの別の部分が第２の別個のねじり角度で延在するように、コアが２つ以上のねじり角度を有してもよいことが更に予期される。
【００１２】
コア部材は長手方向軸ＸＸ’に沿って延在し、任意の好適な断面形状を有することができる。コア部材の例示的な形状としては、限定はしないが、円形、楕円形、三角形、四角形、台形、六角形等が挙げられる。ブリスルも任意の好適な断面形状を有することができる（例えば、円形、楕円形、三角形、四角形、台形、六角形等）。また、ブリスルは丸みを帯びていることも平らであることもできる。
【００１３】
化粧用ブラシはポリマー材料から製造される。このポリマー材料は、合成材料又は半合成材料を含んでもよい。コア及びブリスルの双方は熱可塑性材料から製造されることが好ましいが、本発明はそれに限定されない。コア及びブリスルの一方又は双方は異なる材料から製造されてもよい。さらに、コア及びブリスルは同じ材料から製造されることが好ましいが、コア及びブリスルは互いに異なる材料から製造されてもよい。
【００１４】
本発明に係る化粧用ブラシは、任意の好適な方法に従って製造することができる。１つの例示的な方法において、熱可塑性ブラシは、コアと一体的に、平行な非ねじり列に形成されるブリスルとともに、（例えば、射出成形、押出成形等によって）初めに成形される。次に、成形コアの少なくとも一部は、力、熱、風、化学物質、又はそれらの組合せを加えることによってねじられる。その結果、コアの永久変形（例えばねじれ）が生じ、ねじり領域のブリスルは渦巻状すなわち螺旋状の列になって延在する。
【００１５】
図１及び図２を参照して、本発明の例示的な一実施形態に係る化粧用ブラシ１０が記載される。ブラシ１０は、ポリマー製コア３０から径方向に延出する複数のポリマー製ブリスル２０を備える。この実施形態では、コア３０は、およそ９０度のねじり角度を有するねじり部５０を有する。ねじり部５０のブリスル２０は、複数の渦巻状すなわち螺旋状経路６０に配置された複数の列になって構成される。渦巻状すなわち螺旋状経路６０はコア３０の長手方向軸ＸＸ’の一部の回りに延在する。渦巻状／螺旋状経路はいずれも交差しない。図２に示されているように、ねじり部５０の最も上のブリスル２０ａは、ねじり部５０の最も下のブリスル２０ｂから約９０度ずれている。
【００１６】
図示の実施形態では、コア３０は非ねじり部４０も有し、非ねじり部４０ではコア３０はねじられておらず、ブリスル２０は、コア３０の長手方向軸ＸＸ’に対して概ね平行に延在する複数の直線経路に配置されている。コア３０の反対側の端部は、必要に応じて軸部７０を有してもよい。軸部７０は、化粧用ブラシを柄部等（図示せず）に接続するのを容易にする。
【００１７】
図１に提示されている図は、ねじり部５０においてランダム化されているブリスル２０の図を提供する。図２に提示されている図は、複数の渦巻状すなわち螺旋状経路に配置されているブリスル２０の図を提供する。渦巻状すなわち螺旋状経路はコア３０の長手方向軸ＸＸ’の一部の回りに延在する。このように、ブリスル２０のランダム性は体系化されていると言うことができる。
【００１８】
図３及び図４を参照して、本発明の例示的な別の実施形態に係る化粧用ブラシ１０’が記載される。ブラシ１０’は、ポリマー製コア３０’から径方向に延出する複数のポリマー製ブリスル２０を備える。この実施形態では、コア３０’は、およそ１８０度のねじり角度を有するねじり部５０’を有する。ねじり部５０’のブリスル２０は、複数の渦巻状すなわち螺旋状経路６０’に配置された複数の列になって構成される。渦巻状すなわち螺旋状経路６０’はコア３０’の長手方向軸ＸＸ’の一部の回りに延在する。渦巻状／螺旋状経路はいずれも交差しない。図４に示されているように、ねじり部５０’の最も上のブリスル２０ａ’は、ねじり部５０’の最も下のブリスル２０ｂ’から約１８０度ずれている。
【００１９】
図示の実施形態では、コア３０’は非ねじり部４０も有し、非ねじり部４０ではコア３０’はねじられておらず、ブリスル２０は、コア３０’の長手方向軸ＸＸ’に対して概ね平行に延在する複数の直線経路に配置されている。コア３０’の反対側の端部は、必要に応じて軸部７０を有してもよい。軸部７０は、化粧用ブラシを柄部等（図示せず）に接続するのを容易にする。
【００２０】
図３に提示されている図は、ねじり部５０’においてランダム化されているブリスル２０の図を提供する。図４に提示されている図は、複数の渦巻状すなわち螺旋状経路に配置されているブリスル２０の図を提供する。渦巻状すなわち螺旋状経路はコア３０’の長手方向軸ＸＸ’の一部の回りに延在する。このように、ブリスル２０のランダム性は体系化されていると言うことができる。
【００２１】
図５及び図６を参照して、本発明の例示的な別の実施形態に係る化粧用ブラシ１０’’が記載される。ブラシ１０’’は、ポリマー製コア３０’’から径方向に延出する複数のポリマー製ブリスル２０を備える。この実施形態では、コア３０’’は、およそ２７０度のねじり角度を有するねじり部５０’’を有する。ねじり部５０’’のブリスル２０は、複数の渦巻状すなわち螺旋状経路６０’’に配置された複数の列になって構成される。渦巻状すなわち螺旋状経路６０’’はコア３０’’の長手方向軸ＸＸ’の一部の回りに延在する。渦巻状／螺旋状経路はいずれも交差しない。図６に示されているように、ねじり部５０’’の最も上のブリスル２０ａ’’は、ねじり部５０’’の最も下のブリスル２０ｂ’’から約２７０度ずれている。
【００２２】
図示の実施形態では、コア３０’’は非ねじり部４０も有し、非ねじり部４０ではコア３０’’はねじられておらず、ブリスル２０は、コア３０’’の長手方向軸ＸＸ’に対して概ね平行に延在する複数の直線経路に配置されている。コア３０’’の反対側の端部は、必要に応じて軸部７０を有してもよい。軸部７０は、化粧用ブラシを柄部等（図示せず）に接続するのを容易にする。
【００２３】
図５に提示されている図は、ねじり部５０’’においてランダム化されているブリスル２０の図を提供する。図６に提示されている図は、複数の渦巻状すなわち螺旋状経路に配置されているブリスル２０の図を提供する。渦巻状すなわち螺旋状経路はコア３０’’の長手方向軸ＸＸ’の一部の回りに延在する。このように、ブリスル２０のランダム性は体系化されていると言うことができる。
【００２４】
図７を参照して、本発明の例示的な別の実施形態に係る化粧用ブラシ１０’’’が記載される。ブラシ１０’’’は、ポリマー製コア３０’’’から径方向に延出する複数のポリマー製ブリスル２０を備える。この実施形態では、コア３０’’’は、３６０度のねじり角度を有するねじり部５０’’’を有する。ねじり部５０’’’のブリスル２０は、複数の渦巻状すなわち螺旋状経路６０’’’に配置された複数の列になって構成される。渦巻状すなわち螺旋状経路６０’’’はコア３０’’’の長手方向軸ＸＸ’の一部の回りに延在する。渦巻状／螺旋状経路はいずれも交差しない。図７に示されているように、ねじり部５０’’’の最も上のブリスル２０ａ’’’は、ねじり部５０’’’の最も下のブリスル２０ｂ’’’から約３６０度ずれている。
【００２５】
図示の実施形態では、コア３０’’’は非ねじり部４０も有し、非ねじり部４０ではコア３０’’’はねじられておらず、ブリスル２０は、コア３０’’’の長手方向軸ＸＸ’に対して概ね平行に延在する複数の直線経路に配置されている。コア３０’’’の反対側の端部は、必要に応じて軸部７０を有してもよい。軸部７０は、化粧用ブラシを柄部等（図示せず）に接続するのを容易にする。
【００２６】
図７に提示されている図は、複数の渦巻状すなわち螺旋状経路６０’’’に配置されているブリスル２０の図を提供する。渦巻状すなわち螺旋状経路６０’’’はコア３０’’’の長手方向軸ＸＸ’の一部の回りに延在する。ここでもまた、ブリスル２０のランダム性は体系化されている。
【００２７】
本発明は好ましい実施形態に重点を置いて記載してきたが、好ましい構成及び方法における変形形態を用いることができること、また、本発明は、本明細書において特に記載したものとは別様に実施することができることが意図されていることが当業者には明白である。したがって、本発明は、添付の特許請求の範囲によって規定されるような本発明の趣旨及び範囲内に包含される全ての変更形態を含む。
【図１】
2016521193.tif 000003
【図２】
2016521193.tif 000004
【図３】
2016521193.tif 000005
【図４】
2016521193.tif 000006
【図５】
2016521193.tif 000007
【図６】
2016521193.tif 000008
【図７】
2016521193.tif 000009
【国際調査報告】
2016521193.tif 000010